(57)【要約】      （修正有）【課題】発光素子を搭載する搭載構造を提供する。【解決手段】搭載構造２は、収納空間を有する可撓性材質の主体２０、及び前記収納空間を封じるように前記主体２０に設けられる基台２２を含む。前記収納空間には複数の第１ピン２１０が設置され、前記基台２２には複数の第２ピン２２０が設けられる。また前記収納空間には発光素子が搭載される。また、第１ピン２１０が中空構造であり、第１導孔２１１が形成されているため、もう一つの基台２２の第２ピンを第１ピン２１０に挿入することができ、もう一つの基台２２を主体２０の底部２１に嵌め合わせることで、複数の搭載構造を嵌め合わせることができる。【選択図】図２Ａ
0003196659.tif 000002
【実用新案登録請求の範囲】
【請求項１】
対向する第１側及び第２側、並びに前記第１側を連通する収納空間を有し、前記第２側において前記収納空間に位置する複数の第１ピンが形成される可撓性材質の主体と、
前記収納空間を封じるように、前記主体の前記第１側に設けられ、且つ複数の第２ピンを有する基台と、
を含むことを特徴とする搭載構造。
【請求項２】
少なくとも１つの前記第１ピンには、前記第１ピンを貫通する少なくとも１つの導孔が設けられ、且つ前記導孔が前記収納空間に連通される請求項１に記載される搭載構造。
【請求項３】
前記第１ピンは中空状である請求項１に記載される搭載構造。
【請求項４】
前記第２ピンは前記主体の前記第１側から突き出る請求項１に記載される搭載構造。
【請求項５】
少なくとも１つの前記第２ピンには、前記第２ピンを貫通する少なくとも１つの導孔が設けられる請求項１に記載される搭載構造。
【請求項６】
前記主体の前記第１側には第１嵌め合わせ部が設けられ、前記基台には第２嵌め合わせ部が設けられ、前記第１嵌め合わせ部を前記第２嵌め合わせ部に嵌め合わせることによって、前記基台が前記主体の前記第１側に嵌められる請求項１に記載される搭載構造。
【請求項７】
物品を搭載することに用いられ、
プレートである基台と、
前記プレートに設置される複数のピンと、
を含む搭載構造。
【請求項８】
少なくとも１つの前記ピンには、前記ピンを貫通する少なくとも１つの導孔が設けられる請求項７に記載される搭載構造。
【請求項９】
前記プレートは平板である請求項７に記載される搭載構造。
【請求項１０】
前記プレートは前記ピンと一体成形される請求項７に記載される搭載構造。
【考案の詳細な説明】
【技術分野】
【０００１】
本考案は、搭載構造に関し、特に発光素子を搭載する搭載構造に関するものである。
【背景技術】
【０００２】
ここ数年、発光ダイオード（Ｌｉｇｈｔ−Ｅｍｉｔｔｉｎｇ  Ｄｉｏｄｅ、ＬＥＤ）は急速に発展し、従来のタングステン電球、白熱電球、蛍光灯及びフラッシュ電球等の照明灯具に取って代わりつつある。それは主として、ＬＥＤの電力消費が比較的低く、かつ、ＬＥＤが輝度、色彩及び切り替え速度において好ましい効果を有しているからである。従って、室内又は室外の照明に応用された場合又は案内機能を提供する交通信号に応用された場合、効果を十分発揮することができる。
【先行技術文献】
【特許文献】
【０００３】
【特許文献１】台湾実用新案第Ｍ３８２５５３号
【考案の概要】
【考案が解決しようとする課題】
【０００４】
図１に示すように、特許文献１は、ＬＥＤランプを広告看板として使用する技術に関し、まず方形パネル１０上に等ピッチの貫通孔１００を複数開設し、さらに複数のＬＥＤランプ１１をそれらの貫通孔１００に挿入して所要の文字又はパターンに配列するものである。
【０００５】
しかしながら、従来のＬＥＤを広告看板とする技術においては、パネル１０の面積範囲や形状が一定であるため、それらのＬＥＤランプ１１がそれらの貫通孔１００の数に制約される。例えば、それらの貫通孔１００の数が不足している場合、それらのＬＥＤランプ１１は、所定の文字又はパターンを表示することができなくなる。
【０００６】
従って、上述した従来技術の問題を解決することは、現在極めて重要な課題となっている。
【０００７】
そこで、以上のとおりの事情に鑑み、本考案は、搭載構造を提供することを課題とする。
【課題を解決するための手段】
【０００８】
上記の課題を解決するために、本考案は、対向する第１側と第２側、及び第１側を連通する収納空間を有し、収納空間において第２側に複数の第１ピンが形成される可撓性材質の主体と、収納空間を封じるため、主体の第１側の上に設けられ、且つ複数の第２ピンを有する基台と、を含む搭載構造を提供する。
【０００９】
本考案はさらに物品を搭載し、プレート及びプレートに設置された複数のピンを含む搭載構造（前述の基台のような）を提供する。
【００１０】
以上から分かるように、本考案の搭載構造は基台の構成によって、複数の照明ユニットを嵌め合わせることにより、各種の発光製品を構成することができる。すなわち、本考案を使用する発光製品は、いかなる外部環境にも制限されることはなく、例えば従来技術のパネルに制限されない。
【図面の簡単な説明】
【００１１】
【図１】従来のＬＥＤランプ広告看板を示す斜視図である。
【図２Ａ】本考案に係る分解された搭載構造を示す下方斜視図である。
【図２Ｂ】本考案に係る分解された搭載構造を示す上方斜視図である。
【図２Ｃ】本考案に係る搭載構造を示す斜視図である。
【図３Ａ】本考案に係る搭載構造の組合わせ過程を示す断面図である。
【図３Ｂ】本考案に係る搭載構造の組合わせ過程を示す断面図である。
【図４Ａ】本考案に係る搭載構造の別の態様を示す斜視図である。
【図４Ｂ】本考案に係る搭載構造の別の態様を示す斜視図である。
【考案を実施するための形態】
【００１２】
以下、具体的な実施例を用いて本考案の実施形態を説明する。この技術分野に精通した者は、本明細書の記載内容によって簡単に本考案のその他の利点や効果を理解できる。
【００１３】
また、明細書に添付された図面に示す構造、比例、寸法等は、この技術に周知する者が理解できるように明細書の記載内容に合わせて用いられるものであり、本考案の実施を制限するものではないため、技術上の実質的な意味を有せず、いかなる構造の修正、比例関係の変更又は寸法の調整も、本考案の効果及び目的に影響を与えるものでない限り、いずれも本考案に開示された技術内容の範囲に入る。また、明細書に記載の例えば「上」、「第１」、「第２」、及び「一」等の用語は、説明が容易に理解できるようにするためのものに過ぎず、本考案の実施可能な範囲を限定するものではなく、その相対関係の変更又は調整は、技術内容の実質的な変更がない限り、本考案の実施可能な範囲と見なされる。
【００１４】
図２Ａから図２Ｃは、本考案に係る搭載構造２を示す斜視図である。図２Ａから図２Ｃに示すように、搭載構造２は、可撓性材質の主体２０と、基台２２とを含む。
【００１５】
可撓性材質は、ポリプロピレン（ＰＰ）、ポリエチレン・テレフタレート（ＰＥＴ）又は任意の容易に屈曲可能な変形材料である。
【００１６】
主体２０は、対向する第１側２０ａ及び第２側２０ｂ、並びに第１側２０ａを連通する収納空間２００を有し、溝構造である（第２側２０ｂは溝構造の底部２１とみなし得る）。底部２１は収納空間２００に位置する複数の第１ピン２１０を有する。
【００１７】
この実施例において、主体２０は、真空成形方式又は射出成形方式により、可撓性材質を変形させることで形成されるため、主体２０の各壁の厚さｔは極薄である（図２Ｂ参照）。
【００１８】
さらに、主体２０の形状は、円形、矩形、柱形、板形又は不規則形状等の各種立体構造であってもよく、特に制限されるものではない。
【００１９】
第１ピン２１０の形状は、円形、矩形、柱形、板形又は不規則形状等の各種中空立体構造であってもよく、例えば、各側面は傾斜状でテーパが形成されるが、特に制限されるものではない。
【００２０】
また、各第１ピン２１０は、等間隔のマトリックスにより配列されるが、この方式に限定されない。
【００２１】
なお、各第１ピン２１０には、第１ピン２１０を貫通する第１導孔２１１が設けられ、それらの第１導孔２１１は収納空間２００と連通する。
【００２２】
基台２２は、収納空間２００を封じるように、主体２０の第１側２０ａに設けられ、且つ複数の第２ピン２２０を有する。それらの第２ピン２２０は主体２０の第１側２０ａから突出し、第１側２０ａに露出される。
【００２３】
この実施例において、基台２２は、真空成形方式又は射出成形方式により、可撓性材質を変形させることで形成されるため、基台２２の各壁の厚さｔは極薄であるが（図２Ｂ参照）、基台２２の材質は非可撓性材質でもよい。
【００２４】
また、第２ピン２２０の形状は、円形、矩形、柱形、板形又は不規則形状等の各種中空立体構造であってもよく、例えば、各側面は傾斜状でテーパが形成されるが、特に制限されるものではない。
【００２５】
また、それらの第２ピン２２０には、第２ピン２２０を貫通する第２導孔２２１が設けられ、それらの第２導孔２２１は収納空間２００と連通する。
【００２６】
なお、主体２０の第１側２０ａには、第１嵌め合わせ部２０１が設けられ、基台２２には、第２嵌め合わせ部２２２が設けられる。第１嵌め合わせ部２０１を第２嵌め合わせ部２２２に嵌め合わせることによって、基台２２が主体２０の第１側２０ａに嵌められる。具体的に、図３Ａと図３Ｂに示すように、嵌め合わせる方法としては、例えば、第１嵌め合わせ部２０１を凹状とみなし、第２嵌め合わせ部２２２を凸状とみなすことができ、基台２２を主体２０の収納空間２００に嵌め合わせる。
【００２７】
本考案に係る搭載構造２は、例えば図３Ｂに示す発光ダイオードである発光素子３の搭載に用いられる。発光素子３は、第１ピン２１０、第２ピン２２０及び収納空間２００に収納され、または第１ピン２１０と第２ピン２２０に設けられてもよい。具体的には、第１導孔２１１と第２導孔２２１によって回路３０が通されることで、各発光素子３が互いに電気的に接続される。
【００２８】
本考案に係る搭載構造２は可撓性材質により製作されているため、嵌め合わせる時に、主体２０の側面または各基台２２の側面を折り曲げることができ、基台２２を収納空間２００に嵌め合わせるのが容易である。
【００２９】
また、第１ピン２１０が中空構造であるため（第１導孔２１１が形成されているため）、もう一つの基台２２の第２ピンを第１ピン２１０に挿入することができ、もう一つの基台２２を主体２０の底部２１に嵌め合わせることで、複数の搭載構造を嵌め合わせることができる。
【００３０】
また、第１ピン２１０にはテーパが形成されているため、もう一つの基台２２を第１ピン２１０に嵌め合わせるのが容易である。
【００３１】
図４Ａと図４Ｂは本考案に係る搭載構造４を示す斜視図である。
【００３２】
図４に示すように、搭載構造４は基台２２に類似し（搭載構造４には、第２嵌め合わせ部２２２がない）、プレート４０を有する。プレート４０の上側には、複数のピン４１が一体形成される。複数のピン４１には、ピン４１を貫通する導孔４１０が設けられる。
【００３３】
本実施例において、搭載構造４の材質は限定されず、可撓性材質であっても非可撓性材質であってもよい。また、プレート４０の平板の長さ、幅、高さなどの寸法は物品により調整できるため、図面に制約されない。
【００３４】
さらに、プレート４０は平板であり（各種の幾何学的形状、例えば矩形、円形、又は不規則形状などでもよい）、搭載構造４を様々な物品（例えば本体２０）を封じるための蓋とすることができる。
【００３５】
また、複数の搭載構造４を互いに嵌め合わせてもよい。つまり一つの搭載構造４のピン４１をもう一つの搭載構造４の導孔４１０に嵌め込むことができる。
【００３６】
なお、ピン４１の数は必要に応じて変更できるため、図面に制約されない。
【００３７】
以上により、本考案は、基台の構成により、搭載構造を軽く、薄く、コップの形態で嵌め合わせることができ、発光製品の重さを軽くするだけでなく、発光製品の運送及び取り付けにも便利であるため、省エネルギー・低炭素、リサイクル・リユース及び使いやすい等の効果が得られる。
【００３８】
本明細書及び実施例は、本考案の原理とその効果を例示的に説明するものに過ぎず、本考案を限定するものではない。この技術に精通する者は、本考案の主旨を逸脱しない範囲において、上述した実施例に種々の修正を施すことが可能であり、そうした修正も本考案の範囲に含まれる。本考案の権利保護範囲は、実用新案登録請求の範囲の通りである。
【符号の説明】
【００３９】
１０    パネル
１００  貫通孔
１１    ＬＥＤランプ
２、４  搭載構造
２０    本体
２０ａ  第１側
２０ｂ  第２側
２００  収納空間
２０１  第１嵌め合わせ部
２１    底部
２１０  第１ピン
２１１  第１導孔
２２    基台
２２０  第２ピン
２２１  第２導孔
２２２  第２嵌め合わせ部
３      発光素子
３０    回路
４０    プレート
４１    ピン
４１０  導孔
ｔ      厚さ
【図１】
0003196659.tif 000003
【図２Ａ】
0003196659.tif 000004
【図２Ｂ】
0003196659.tif 000005
【図２Ｃ】
0003196659.tif 000006
【図３Ａ】
0003196659.tif 000007
【図３Ｂ】
0003196659.tif 000008
【図４Ａ】
0003196659.tif 000009
【図４Ｂ】
0003196659.tif 000010